(57)【要約】      （修正有）【課題】多色模様が表面に膨出せず、ジーンズ生地のように平坦薄地で、ゴブラン模様の豪華さを、繊細にかつ写実的に表現した模様織物の提供。【解決手段】多色二重織であって、地組織２は、上地組織が５番色経糸と４番色経糸の交互、緯１番色糸との平組織、下地組織が、１番色経糸と３番色経糸の引揃え、緯２番色糸との平組織とした二重袋組織に形成され、該地組織に上下地組織の経緯糸を所望に表出させて、異なった組織の組合わせにより多色模様５が多数形成され、該多色模様５の下組織は、多色模様５に使用しない経緯糸により前記下地組織と同じ組織に形成され、異なった模様組織を２〜１０種の範囲で組合わせて、形状の異なった多色模様５の複数を、釜物として形成した模様織物。【選択図】    図１
2004263317.tif 000002
【特許請求の範囲】
【請求項１】
多色二重織であって、組成は、経糸は１番色〜５番色が使用され、緯糸は緯１番色糸、緯２番色糸が使用され、経糸密度１７０本／吋〜２００本／吋とし、吋間経糸密度を１００として、これに対して、緯糸の吋間打込み割合を６０％〜７０％の範囲で組成され、
地組織は、上地組織が４番色経糸と５番色経糸の交互、緯は緯１番色糸との平組織、下地組織が、１番色経糸と３番色経糸の引揃え、緯２番色糸との平組織とした二重袋組織に形成され、該地組織に上下地組織の経緯糸を所望状に表出させて、異なった模様組織の組合わせによる多色模様が多数形成され、該多色模様の下組織は、多色模様に使用しない経緯糸により前記下地組織と同じ組織に形成され、
第１模様組織は、１番色経糸と３番経糸とが、交互に表出され、緯１番色糸と緯２番色糸とを表出させて、交互に打込み平組織の濃色部が形成され、部分的に緯２番色糸が綾組織で表出されて立体部が形成され、輪郭部分において、部分的に、２番色経糸が１番色経糸部分に表出され、
第２模様組織は、１番色経糸と３番色経糸とを引揃えて、２番色経糸と交互に表出させ、緯１番色糸と緯２番色糸とを緯に打込んで、平組織の濃色部が形成され、部分的に、２番色経糸に代えて５番色経糸を表出させ、当該部分では緯２番色糸に代えて緯１番色糸を表出させた明色部が形成され、
第３模様組織は、１番色経糸と５番色経糸とを交互に配し、緯１番色糸で平組織させた明色部が形成されて、部分的に５番色経糸に代えて３番色経糸を表出させ、その部分において、部分的に１番色経糸に代えて２番色経糸が綾組織で表出させ、濃色部が形成され、更にその部分で輪郭部において、緯１番色糸に代えて緯２番色糸が表出され、
第４模様組織は、１番色経糸と３番色経糸とを交互に表出し、緯１番色糸と緯２番色糸とを交互に打込んで平組織させ、１番色経糸の部分において、１番色経糸の上に４番色経糸を綾組織で表出させて、立体的な明色部が形成され、また部分において、３番色経糸の部分に重ねるように、２番色経糸が表出されて、暗色部が形成され、
第５模様組織は、１番色経糸と４番色経糸とを引揃え、５番色経糸とを交互に配し、緯に緯１番色糸を打込み、平組織の明色部が形成され、部分的に、５番色緯糸と緯２番色糸とを交互に打込み、部分において５番色経糸に代えて４番色経糸から引離した１番色経糸を、目立つように平組織に組成して、暗色部が形成され、
第６模様組織は、５番色経糸と３番色経糸とを交互に配し、緯１番色糸とで平組織が形成され、３番色経糸は、部分的に綾組織で表出させて明色部が形成され、また部分的に緯２番色糸を交互に表出させ、更に、３番色経糸の部分において、２番色経糸を綾組織に表出させて暗色部が形成され、
第７模様組織は、４番色経糸と３番色経糸とを引揃え、１番色経糸と交互に配し、緯１番色糸を打込み、平組織の濃色部が形成され、部分的に１番色経糸に代えて５番色経糸を表出させて明色部が形成され、
第８模様組織は、５番色経糸と２番色経糸とを交互に配し、緯１番色糸と緯２番色糸を交互に打込み、５番色経糸は平組織、２番色経糸は綾組織に表出させて濃色部が形成され、部分的に緯２番色糸に代えて緯１番色糸を表出させ、明色部が形成され、
第９模様組織は、５番色経糸と３番色経糸とを交互に配し、緯１番色糸とで平組織として明色部が形成され、部分的に前記３番色経糸を綾組織に表出させて立体部が形成され、その隣においては、５番色経糸に代えて２番色経糸を表出させると共に、３番色経糸と２番色経糸を引揃えて交互に配し、平組織の暗色部が形成され、
第１０模様組織は、５番色経糸と３番色経糸とを交互に配し、緯１番色糸とで平組織とし、部分的に５番色経糸を綾組織に表出して立体部が形成され、その輪郭の部分的に、３番色経糸を綾組織で表出させ、部分的に緯２番色糸を交互に表出させて、濃色部が形成され、
これら異なった模様組織を２〜１０種の範囲で組合わせて、形状の異なった多色模様が多数、釜物として形成されたことを特徴とする模様織物。
【請求項２】
前記組成は、経糸は１番色〜５番色が使用され、緯糸は緯１番色糸、緯２番色糸が使用され、経糸密度１７０本／吋〜２３０本／吋とし、吋間経糸密度を１００として、これに対して、緯糸の打込み割合を、５５％〜７０％の範囲で組成されていること、を特徴とする、請求項１に記載された模様織物。
【請求項３】
前記地組織の上地組織は、綾組織であることを特徴とする請求項１に記載された模様織物。
【請求項４】
前記経糸の、１番色、２番色、３番色、４番色、５番色は、藍色、緑色、赤色、黄色、白色、黒色から選択されることを特徴とする請求項１〜３のいずれかに記載された模様織物。
【請求項５】
前記経糸の、１番色、２番色、３番色は、黒色、茶系濃淡、４番色、５番色は、グレー系、白色、クリーム系から選択されることを特徴とする請求項１〜３のいずれかに記載された模様織物。
【請求項６】
前記経糸は、ストレッチヤーンが使用されたことを特徴とする、請求項１〜５のいずれかに記載された模様織物。
【請求項７】
前記模様組織には、アクセントとして光輝緯糸が緯３番色糸として、他の色緯糸と引揃えで、部分的に表出されていることを特徴とする、請求項１〜６のいずれかに記載された模様織物。
【発明の詳細な説明】
【０００１】
【発明の属する技術分野】
この発明は、模様織物に係り、特にゴブラン様の多色模様を表現した、ジーンズ状の薄地織物に関する。
【０００２】
【従来の技術】
従来、ジーンズと云われる織物は、細糸綾木綿をさし、組織は２／１斜文の無地木綿布である。普通は、経糸に２０番〜２４番、緯糸に１８番〜２４番内外の綿単糸を使用し、用途として例えばパンツ、ズボン、上着等に汎用されている。
またゴブラン織というのは、１５世紀のパリでゴブラン氏が創製した、太糸使いのタペストリーカーペットで、地経糸は綿糸７番の３本撚り、毛経糸に梳毛１２番の撚糸２本引揃えを使用している。主として壁掛地、カーペット、その他室内装飾品に使用される。
従来のヨーロッパのゴブラン規格は、
経糸  ８色        ２６７本／吋
緯糸  ３色〜４色    ８０本／吋
経緯糸本数比        １００本対３０本が一般的である。
【０００３】
【発明が解決しようとする課題】
ジーンズは、衣服用無地物の薄い生地である。またゴブランは、衣服には向かない地厚の室内装飾用織物である。従って、生地の薄いジーンズ生地に、ボリュムのあるゴブラン模様を表現することは可能ではあるが、生地と模様のバランスがとれず、模様も粗雑な表現になり衣服用には向かない。
この発明は、上記実情に鑑みて、模様が表面に膨出せず、ジーンズ生地のように平坦薄地で、ゴブラン模様の豪華さを、繊細にかつ写実的に表現した模様織物を提供すること、を目的としている。
【０００４】
【課題を解決するための手段】
この発明は、前記課題を解決し、目的を達成するために、経糸密度１７０本／吋〜２００本／吋とし、経緯糸の比率を、吋間経糸密度を１００としてこれに対して緯糸は６０％〜７０％とし、従来のゴブランに対して、経糸の本数を減少させ、緯糸の本数を増加させた。
経糸と緯糸との比率では、緯糸を従来品に対して細くし、かつ緯糸の本数を２倍以上に増加させたことに特徴があり、写真で撮ったような表現ができた。
すなわち、経糸吋間密度１７０本〜２００本で、緯糸密度１００本／吋〜１２０本／吋程になる。
これによって経糸と緯糸との比率が近くなり、生地が平坦になると共に、模様が膨出せず鮮明になった。この発明の具体的な内容は次の通りである。
【０００５】
（１）  多色二重織であって、組成は、経糸は１番色〜５番色が使用され、緯糸は５番色、７番色が使用され、経糸密度１７０本／吋〜２００本／吋とし、吋間経糸密度を１００として、これに対して、緯糸の打込み割合６０％〜７０％で組成され、
地組織は、上地組織が４番色経糸と５番色経糸の交互、緯は緯１番色糸との平組織、下地組織が、１番色経糸と３番色経糸の引揃え、緯２番色糸との平組織とした二重袋組織に形成され、該地組織に上下地組織の経緯糸を所望状に表出させて、異なった模様組織の組合わせによる多色模様が多数形成され、該多色模様の下組織は、多色模様に使用しない経緯糸により前記下地組織と同じ組織に形成され、
第１模様組織は、１番色経糸と３番経糸とが、交互に表出され、緯１番色糸と緯２番色糸とを表出させて、交互に打込み平組織の濃色部が形成され、部分的に緯２番色糸が綾組織で表出されて立体部が形成され、輪郭部分において、部分的に、２番色経糸が１番色経糸部分に表出され、
第２模様組織は、１番色経糸と３番色経糸とを引揃えて、２番色経糸と交互に表出させ、緯１番色糸と緯２番色糸とを緯に打込んで、平組織の濃色部が形成され、部分的に、２番色経糸に代えて５番色経糸を表出させ、当該部分では緯２番色糸に代えて緯１番色糸を表出させた明色部が形成され、
第３模様組織は、１番色経糸と５番色経糸とを交互に配し、緯１番色糸で平組織させた明色部が形成されて、部分的に５番色経糸に代えて３番色経糸を表出させ、その部分において、部分的に１番色経糸に代えて２番色経糸が綾組織で表出させ、濃色部が形成され、更にその部分で輪郭部において、緯１番色糸に代えて緯２番色糸が表出され、
第４模様組織は、１番色経糸と３番色経糸とを交互に表出し、緯１番色糸と緯２番色糸とを交互に打込んで平組織させ、１番色経糸の部分において、１番色経糸の上に４番色経糸を綾組織で表出させて、立体的な明色部が形成され、また部分において、３番色経糸の部分に重ねるように、２番色経糸が表出されて、暗色部が形成され、
第５模様組織は、１番色経糸と４番色経糸とを引揃え、５番色経糸とを交互に配し、緯に緯１番色糸を打込み、平組織の明色部が形成され、部分的に、緯１番色糸と緯２番色糸とを交互に打込み、部分において５番色経糸に代えて４番色経糸から引離した１番色経糸を、目立つように平組織に組成して、暗色部が形成され、
第６模様組織は、５番色経糸と３番色経糸とを交互に配し、緯１番色糸とで平組織が形成され、３番色経糸は、部分的に綾組織で表出させて明色部が形成され、また部分的に緯２番色糸を交互に表出させ、更に、３番色経糸の部分において、２番色経糸を綾組織に表出させて暗色部が形成され、
第７模様組織は、４番色経糸と３番色経糸とを引揃え、１番色経糸と交互に配し、緯１番色糸を打込み、平組織の濃色部が形成され、部分的に１番色経糸に代えて５番色経糸を表出させて明色部が形成され、
第８模様組織は、５番色経糸と２番色経糸とを交互に配し、緯１番色糸と緯２番色糸を交互に打込み、５番色経糸は平組織、２番色経糸は綾組織に表出させて濃色部が形成され、部分的に緯２番色糸に代えて緯１番色糸を表出させ、明色部が形成され、
第９模様組織は、５番色経糸と３番色経糸とを交互に配し、緯１番色糸とで平組織として明色部が形成され、部分的に前記３番色経糸を綾組織に表出させて立体部が形成され、その隣においては、５番色経糸に代えて２番色経糸を表出させると共に、３番色経糸と２番色経糸を引揃えて交互に配し、平組織の暗色部が形成され、
第１０模様組織は、５番色経糸と３番色経糸とを交互に配し、緯１番色糸とで平組織とし、部分的に５番色経糸を綾組織に表出して立体部が形成され、その輪郭の部分的に、３番色経糸を綾組織で表出させ、部分的に緯２番色糸を交互に表出させて、濃色部が形成され、
これら異なった模様組織を２〜１０種の範囲で組合わせて、形状の異なった多色模様が多数、釜物として形成された、模様織物。
【０００６】
（２）  前記組成は、経糸は１番色〜５番色が使用され、緯糸は緯１番色糸、緯２番色糸が使用され、経糸密度１７０本／吋〜２３０本／吋とし、吋間経糸密度を１００として、これに対して、緯糸の打込み割合を、５５％〜７０％の範囲で組成されている、前記（１）に記載された模様織物。
【０００７】
（３）  前記地組織の上地組織は、綾組織である前記（１）（２）のいずれかに記載された模様織物。
【０００８】
（４）  前記経糸の、１番色、２番色、３番色、４番色、５番色は、藍色、緑色、赤色、黄色、白色、黒色から選択される前記（１）〜（３）のいずれかに記載された模様織物。
【０００９】
（５）  前記経糸の、１番色、２番色、３番色は、黒色、茶系濃淡、４番色、５番色は、グレー系、白色、クリーム系から選択される前記（１）〜（３）のいずれかに記載された模様織物。
【００１０】
（６）  前記経糸は、ストレッチヤーンが使用された、前記（１）〜（５）のいずれかに記載された模様織物。
【００１１】
（７）  前記模様組織には、アクセントとして光輝緯糸が緯３番色糸として、他の色緯糸と引揃えで、部分的に表出されている前記（１）〜（６）のいずれかに記載された模様織物。
【００１２】
【発明の実施の形態】
本願発明の実施の形態例を、図面を参照して説明する。図１は本発明模様織物の平面図、図２は地組織平面図、図３は地組織の下地組織平面図である。
【００１３】
図１において、模様織物（１）は、経糸の番手をポリエステル１５０デニール、１番色経糸（藍色）、２番色経糸（緑色）、３番色経糸（赤色）、４番色経糸（黄色）、５番色経糸（白色）の５色、これに６番経糸（例えば黒色）など他の色経糸を追加することがある。
【００１４】
この経糸を１７０本／吋〜２００本／吋とし、緯糸の番手をポリエステル３０番２本、スパンエステルもしくは綿６０番２本、緯１番色糸（白色）、緯２番色糸（ダイダイ色）、緯３番色糸（光輝糸）の３色、８０本／吋、として、地組織（２）は、上地組織（３）と下地組織（４）とで二重袋組織に形成されている。
前記経緯糸の色は、サンプルとしてのものなので、色は順番を変更すること、別の色を入れ代えることができる。また糸番手は、季節によって変更することができる。例えば春物として、経糸、綿１００／２、緯テトロン３０／２、綿１００／２なと度のように変更することができる。
【００１５】
地組織（２）の上地組織（３）は、図２に示すように、経は５番色経糸（３ａ）と４番色経糸（３ｂ）とが交互に配列され、緯糸の緯１番色糸（３ｃ）とで平組織に形成されている。また下地組織（４）は、図３に示すように、経糸は１番色経糸（４ａ）と３番色経糸（４ｂ）とが引揃えになり、緯糸の緯２番色糸（４ｃ）とで平組織に形成されて、地組織（２）は袋組織に設定されている。この上地組織は綾組織にすることができる。
また、糸の色はこれに限定されるものではなく、変更することができる。
【００１６】
前記地組織（２）の上に、それぞれ異なった複数の模様組織を組合わせて、複数の多色模様（５）が形成されている。
図１において各多色模様（５）の模様組織について以下に説明する。
【００１７】
図１における第１模様組織（６）は、図４に組織図を略示すように、地組織（２）における下地組織（４）の１番色経糸（４ａ）と３番色経糸（４ｂ）とが、交互に表出配列され、地組織（２）における上地組織（３）の緯１番色糸（３ａ）と、下地組織（４）の緯２番色糸（４ｃ）とを表出させて、交互に打込み平組織に組成されている。これによって、３番色と１番色とがミックスされた濃色部（６ａ）が形成される。
【００１８】
しかして第１模様組織（６）において、部分的に緯２番色糸（４ｃ）が綾組織に表出されていて、立体感が表現された立体部（６ｂ）が形成されている。
また輪郭部分において、部分的に、２番色経糸（５ａ）を１番色経糸（４ａ）部分に表出させている。これによって２番色経糸（５ａ）による色の軟らか味が表現されている。必要に応じて、図示しない光輝糸を緯３番色糸として他の緯糸と引揃えて部分的にアクセントとして表出させる。
【００１９】
この第１の模様組織（６）の下組織は、多色模様（５）に使用しない糸による、図３に示す下地組織（４）と同じ組織である。余分な糸は接結糸となり、或いは他の糸と引揃えになる。以下に説明する模様組織（６）〜（１５）についても同様である。
【００２０】
図１において第２模様組織（７）は、図５に組織図を略示するように、地組織（２）における下地組織（４）の１番色経糸（４ａ）と、３番色経糸（４ｂ）とを引揃えて、２番色経糸（５ａ）と交互に表出させ、地組織（２）の上地組織（３）における緯１番色糸（３ｃ）と下地組織（４）における緯２番色糸（４ｃ）とを緯に打込んで、平組織に形成されて濃色部（７ａ）が形成されている。
【００２１】
しかして部分的に、２番色経糸（５ａ）を下に潜行させて、代りに５番色経糸（３ａ）を表出させて、当該部分では緯２番色糸（４ｃ）を下に潜らせて、代りに緯１番色糸（３ｃ）を表出させた明色部（７ｂ）が形成されている。
【００２２】
図１において第３模様組織（８）は、図６に組織図を略示するように、地組織（２）における下地組織（４）の１番色経糸（４ａ）と、上地組織（３）の５番色経糸（３ａ）とを交互に配し、緯１番色糸（３ｃ）で平組織させて明色部（８ａ）が形成されている。
これに部分的に５番色経糸（３ａ）を下へ潜行させて、代りに下地組織（４）の３番色経糸（４ｂ）を表出させて、その部分において、部分的に１番色経糸（４ａ）を下へ潜行させて、代りに２番色経糸（５ａ）を綾組織で表出させ、濃色部（８ｂ）が形成されている。
更にその部分で輪郭部において、緯１番色糸（３ｃ）を下に潜行させて、代りに下地組織（４）の緯２番色糸（４ｃ）が表出されて、ボリュウム感が表現されている。
【００２３】
図１において第４模様組織（９）は、図７に組織図を略示すように、地組織（２）における下地組織（４）の、１番色経糸（４ａ）と３番色経糸（４ｂ）とを交互に表出し、緯に緯１番色糸（３ｃ）と緯２番色糸（４ｃ）とを交互に打込んで平組織させ、１番色経糸（４ａ）の部分において、１番色経糸（４ａ）の上に４番色経糸（３ｂ）を綾組織に表出させて、立体的な明色部（９ａ）が形成されている。
また部分において、３番色経糸（４ｂ）の部分に重ねるように、２番色経糸（５ａ）が表出されて、暗色部（９ｂ）が形成されている。
【００２４】
図１において第５模様組織（１０）は、図８に組織図を略示するように、地組織（２）における、下地組織（４）の１番色経糸（４ａ）と上地組織（３）の４番色経糸（３ｂ）とを引揃え、５番色経糸（３ａ）とを交互に配し、緯に緯１番色糸（３ｃ）を打込み平組織として、明色部（１０ａ）が形成されている。
また、部分的に、緯１番色糸（３ｃ）と緯２番色糸（４ｃ）とを交互に打込み、その部分においては、５番色経糸（３ａ）を下へ潜行させて、その部位に代りに４番色経糸（３ｂ）から引離した１番色経糸（４ａ）を、目立つように平組織に組成して、暗色部（１０ｂ）が形成されている。
【００２５】
図１において第６模様組織（１１）は、図９に組織図を略示するように、地組織（２）の上地組織（３）の５番色経糸（３ａ）と、下地組織（４）の３番色経糸（４ｂ）とを交互に配し、緯１番色糸（３ｃ）とで平組織が形成された。また３番色経糸（４ｂ）は、部分的に綾組織で表出させて明色部（１１ａ）が形成された。
また部分的に、下地組織（４）の７番色緯糸（４ｃ）を交互に表出させた。更に、３番色経糸（４ｂ）の部分において、２番色経糸（５ａ）を綾組織で表出させて暗色部（１１ｂ）が形成された。
【００２６】
図１において第７模様組織（１２）は、図１０に組織図を略示するように、地組織（２）の上地組織（３）の４番色経糸（３ｂ）と、下地組織（４）の３番色経糸（４ｂ）とを引揃え、２番色経糸（４ａ）と交互に配し、緯１番色糸（３ｃ）を打込み平組織として、濃色部（１２ａ）が形成されている。
また、部分的に１番色経糸（４ａ）を下へ潜行させて、代りに５番色経糸（３ａ）を表出させて明色部（１２ｂ）が形成されている。
【００２７】
図１において第８模様組織（１３）は、図１１に組織図を略示するように、地組織（２）の５番色経糸（３ａ）と、２番色経糸（５ａ）とを交互に配し、緯１番色糸（３ｃ）と緯２番色糸（４ｃ）を交互に打込み、５番色経糸（３ａ）は平組織、２番色経糸（５ａ）は綾組織で表出させて濃色部（１３ａ）が形成され、部分的に緯２番色糸（４ｃ）を下に潜らせて、代りに緯１番色糸（３ｃ）を表出させて、明色部（１３ｂ）が形成されている。
【００２８】
図１において第９模様組織（１４）は、図１２に組織図を略示するように、地組織（２）の５番色経糸（３ａ）と、３番色経糸（４ｂ）とを交互に配し、緯１番色糸（３ｃ）とで平組織として明色部（１４ａ）が形成され、部分的に前記３番色経糸（４ａ）を綾組織に表出させて立体部（１４ｂ）が形成されている。その隣においては、５番色経糸（３ａ）を下に潜らせて、代りに２番色経糸（４ａ）を表出させると共に、３番色経糸（４ｂ）と２番色経糸（５ａ）を引揃えて交互に配して平組織して、暗色部（１４ｃ）が形成されている。
【００２９】
図１において第１０模様組織（１５）は、図１３に組織図を略示するように、地組織（２）の５番色経糸（３ａ）と、３番色経糸（４ｂ）とを交互に配し、緯１番色糸（３ｃ）とで平組織にすると共に、部分的に５番色経糸（３ａ）を綾組織で表出して、立体部（１５ａ）が形成されている。またその輪郭の部分的に、３番色経糸（４ｂ）を綾組織で表出させると共に、その部分では、部分的に緯２番色糸（４ｃ）を交互に表出させて、濃色部（１５ｂ）が形成されている。
【００３０】
このように、各多色模様（５）は、いくつかの模様組織（６）〜（１５）が適宜組合わされて形成されている。また各多色模様（５）は、上地経糸（４番色、５番色、）と下地経糸（１番色、３番色）と２番色経糸とが、部分的に選択されて表出されて、多色模様（５）にアクセントを添え、部分的に綾組織で表出して立体感が形成されている。
【００３１】
緯糸は、上地組織の緯糸（緯１番色）と下地組織の緯糸（緯２番色）と、光輝緯糸（緯３番色）とが、部分的に選択されて表出されて、多色模様（５）に明暗のアクセントを形成している。また、経糸よりも緯糸の方が太いので、多色模様（５）において経糸の明度よりも緯糸の濃度が濃いと、緯糸の色が強調される。
【００３２】
例えば風通組織では、模様において、上組織と下組織が正反対に現れるが、この組織では裏表は異なり、３番色を中心にして、４番色、５番色が地を構成し、これに１番色、２番色の経糸が選択的に表出し、しかも綾組織で表出されるし、緯糸も緯１番色糸と緯２番色糸が選択的に表出されて、多色模様の裏は下地組織（４）と同じに組成されるので、綴れ織や縫取りと異なって、全体的に平均した組織の滑らかな薄い生地になり、腰のある平滑な模様生地が得られる。
【００３３】
前記地組織において、経糸は、ストレッチヤーンを使用することができる。２倍ストレッチヤーンを使用すると、織長さ１３８ｃｍが仕上がり幅１０５ｃｍになる。その結果、緯糸密度は経糸に対して少なくなる。この組織は伸縮性があるので、パンツ、コート等に使用して、身体の動きが自由になる。
【００３４】
【発明の効果】
以上説明したように、この発明は、次のような優れた効果を有している。
【００３５】
（１）  本願発明の模様織物は、経糸、緯糸ともに細糸を選択した。その上で、経糸密度を１７０本／吋〜２００本／吋というように粗くした。緯糸は、吋間経糸本数１００に対して、その６０％〜７０％として、緯糸の密度を限界まで大幅に増大させ、経緯の密度を近づけた。その結果、多色模様生地全体を平滑な腰のある薄地にすることが出来、衣服用に適すようになった。
また緯糸が細く本数が多いので、緯糸の表出による多色模様が、地組織から膨出することなく、地組織となじみ、平坦平滑になり、多色模様の輪郭が明確になって、写実的な多色模様の表現ができるようになった。
多色模様の下組織は、地組織の下地組織と同じに構成されているので、生地全体として、平均した平滑な腰のある組織となり、衣服用に適している。
模様組織は、それぞれが異なり、異なった模様組織をいろいろ組合わせて１っの多色模様を表現するので、釜物でありながら、１釜の中の多色模様がそれぞれ皆異なっていて、組織で立体感が表現され、組織で濃淡が表現され、少ない色糸で多色な華やかな多色模様が写実的に表現される効果がある。
【００３６】
（２）  請求項２に記載された発明の模様織物は、経糸密度に対して、緯糸密度の限界を小さくさせ、ストレッチヤーンの使用を可能にした。これによって衣服地としての用途幅を、広げることができる効果がある。
【００３７】
（３）  請求項３に記載された発明の模様織物は、地組織の上地組織は、綾組織としたので、生地に滑らかさが出る効果がある。
【００３８】
（４）  請求項４に記載された発明の模様織物は、前記経糸の色が、藍色、緑色、赤色、黄色、白色、黒色から選択されるので、明色部分の輪郭に暗色部分を配して、写実的な模様を鮮明に表現することができる効果がある。
【００３９】
（５）  請求項５に記載された発明の模様織物は、経糸の色は、黒色、茶系濃淡、グレー系、白色、クリーム系から選択されるので、モノトーンに近いシックな写真のような模様を、表現することができる効果がある。
【００４０】
（６）  請求項６に記載された発明の模様織物は、前記経糸に、ストレッチヤーンが使用されているので、身体の動きに負担にならない伸縮性があり、コート、パンツなどに適する効果がある。
【００４１】
（７）  請求項７に記載された発明の模様織物は、模様組織に、アクセントとして光輝緯糸が緯３番色糸として、他の色緯糸と引揃えで、部分的に表出されているので、目だたないが、生地の動きによって光輝糸がキラキラする効果がある。
【図面の簡単な説明】
【図１】本発明模様織物の平面図である。
【図２】本発明模様織物の、地組織の上地組織平面図である。
【図３】本発明模様織物の、地組織の下地組織平面図である。
【図４】図１における第１模様組織の平面図である。
【図５】図１における第２模様組織の平面図である。
【図６】図１における第３模様組織の平面図である。
【図７】図１における第４模様組織の平面図である。
【図８】図１における第５模様組織の平面図である。
【図９】図１における第６模様組織の平面図である。
【図１０】図１における第７模様組織の平面図である。
【図１１】図１における第８模様組織の平面図である。
【図１２】図１における第９模様組織の平面図である。
【図１３】図１における第１０模様組織の平面図である。
【符号の説明】
（１）模様織物
（２）地組織
（３）上地組織
（３ａ）５番色経糸
（３ｂ）４番色経糸
（３ｃ）緯１番色糸
（４）下地組織
（４ａ）１番色経糸
（４ｂ）３番色経糸
（４ｃ）緯２番色糸
（５）多色模様
（５ａ）２番色経糸
（６）第１模様組織
（６ａ）濃色部
（６ｂ）立体部
（７）第２模様組織
（７ａ）濃色部
（７ｂ）明色部
（８）第３模様組織
（８ａ）明色部
（８ｂ）濃色部
（９）第４模様組織
（９ａ）明色部
（９ｂ）暗色部
（１０）第５模様組織
（１０ａ）明色部
（１０ｂ）暗色部
（１１）第６模様組織
（１１ａ）明色部
（１１ｂ）暗色部
（１２）第７模様組織
（１２ａ）濃色部
（１２ｂ）明色部
（１３）第８模様組織
（１３ａ）濃色部
（１３ｂ）明色部
（１４）第９模様組織
（１４ａ）明色部
（１４ｂ）立体部
（１４ｃ）暗色部
（１５）第１０模様組織
（１５ａ）立体部
（１５ｂ）濃色部
【図１】
2004263317.tif 000003
【図２】
2004263317.tif 000004
【図３】
2004263317.tif 000005
【図４】
2004263317.tif 000006
【図５】
2004263317.tif 000007
【図６】
2004263317.tif 000008
【図７】
2004263317.tif 000009
【図８】
2004263317.tif 000010
【図９】
2004263317.tif 000011
【図１０】
2004263317.tif 000012
【図１１】
2004263317.tif 000013
【図１２】
2004263317.tif 000014
【図１３】
2004263317.tif 000015